(57)【特許請求の範囲】
【請求項１】
釣り糸を前方に繰り出し可能な両軸受リールであって、
軸方向の一端に開口を有する円形の収納部と、前記収納部の開口側に周方向に沿って形成された抜け止め部と、を含む軸受支持部を有するリール本体と、
前記収納部に前記開口と反対側への前記軸方向の移動が規制されて装着される円筒状の軸受装着部と、
前記軸受装着部に前記開口と反対側への前記軸方向の移動が規制されて装着される軸受と、
前記軸受を介して、一端が前記リール本体に回転自在に支持されるスプール軸と、
前記スプール軸と一体回転可能に連結されるスプールと、
前記抜け止め部に係合する係合部を有し、金属製のバネ線材を折り曲げて形成され、前記軸受と前記軸受装着部とを、前記収納部に対してまとめて抜け止めする抜け止め部材と、
を備え、
前記抜け止め部は、前記収納部の前記開口側の内周面に形成された環状溝を有し、
複数の前記係合部は、前記環状溝に沿って係合する円弧部をそれぞれ有し、
前記抜け止め部材は、複数の前記円弧部と、複数の前記円弧部を連結し、かつ前記軸受装着部及び前記軸受の外輪の前記開口側の端面に接触可能な複数の連結部と、を有し、
前記軸受装着部は、前記収納部に着脱可能に収納される、両軸受リール。
【請求項２】
釣り糸を前方に繰り出し可能な両軸受リールであって、
軸方向の一端に開口を有する円形の収納部と、前記収納部の開口側に周方向に沿って形成された抜け止め部と、を含む軸受支持部を有するリール本体と、
前記収納部に前記開口と反対側への前記軸方向の移動が規制されて着脱可能に収納される円筒状の軸受装着部と、
前記軸受装着部に前記開口と反対側への前記軸方向の移動が規制されて装着される軸受と、
前記軸受を介して、一端が前記リール本体に回転自在に支持されるスプール軸と、
前記スプール軸と一体回転可能に連結されるスプールと、
前記抜け止め部に係合する係合部を有し、金属製のバネ線材を折り曲げて形成され、前記軸受と前記軸受装着部とを、前記収納部に対してまとめて抜け止めする抜け止め部材と、
を備え、
前記抜け止め部は、前記収納部の前記開口側の内周面に形成された環状溝を有し、
複数の前記係合部は、前記環状溝に係合する角部をそれぞれ有し、
前記抜け止め部材は、複数の前記角部と、複数の前記角部を連結し、かつ前記軸受装着部及び前記軸受の外輪の前記開口側の端面に接触可能な複数の連結部と、を有する、両軸受リール。
【請求項３】
前記抜け止め部材の端部は、前記環状溝に沿って係合する、
請求項２に記載の両軸受リール。
【発明の詳細な説明】
【技術分野】
【０００１】
本発明は、両軸受リール、特に、釣り糸を前方に繰り出す両軸受リールに関する。
【背景技術】
【０００２】
両軸受リールにおいて、スプール軸などの回転体を、軸受支持部の円形の収納部に収納された軸受によって回転自在に支持する技術が知られている（例えば、特許文献１参照）。従来の両軸受リールでは、収納部に例えば軸受が着脱可能に装着される。また、回転性能を高めるために小径のスプール軸を使用する場合、軸受装着部に小径の軸受を装着し、軸受装着部を収納部に装着する。従来の両軸受リールでは、軸受及び軸受装着部は、別々に抜け止めされる。
【先行技術文献】
【特許文献】
【０００３】
【特許文献１】特許第４３５６８３７号公報
【発明の概要】
【発明が解決しようとする課題】
【０００４】
従来の両軸受リールでは、軸受及び軸受装着部が別々に抜け止めされるため、軸受の抜け止め作業が複雑になる。
【０００５】
本発明の課題は、軸受及び軸受装着部の抜け止め作業を容易に行えるようにすることにある。
【課題を解決するための手段】
【０００６】
本発明に係る両軸受リールは、釣り糸を前方に繰り出し可能なリールである。両軸受リールは、リール本体と、円筒状の軸受装着部と、軸受と、スプール軸と、スプールと、抜け止め部材と、を備える。リール本体は、軸方向の一端に開口を有する円形の収納部と、収納部の開口側に周方向に沿って形成された抜け止め部と、を含む軸受支持部を有する。軸受装着部は、収納部に装着可能である。軸受は、軸受装着部に装着される。スプール軸は、軸受を介して、リール本体に回転自在に支持される。スプールは、スプール軸と一体回転可能に連結される。抜け止め部材は、抜け止め部に係合する複数の係合部を有し、軸受と軸受装着部とを、収納部に対してまとめて抜け止めする。
【０００７】
この両軸受リールでは、軸受支持部の収納部に軸受装着部を装着し、軸受装着部に軸受を装着する。この状態で抜け止め部材の係合部を軸受支持部の抜け止め部に係合させると、軸受及び軸受装着部がまとめて収納部に対して抜け止めされる。ここでは、抜け止め部材が軸受及び軸受装着部をまとめて抜け止めできるので、軸受及び軸受装着部の抜け止め作業を容易に行えるようになる。
【０００８】
軸受装着部は、収納部に開口と反対側への軸方向の移動が規制されて装着され、かつ、軸受を開口と反対側への軸方向の移動を規制して装着してもよい。この場合には、軸受装着部及び軸受がいずれも開口と反対側への軸方向の移動が規制される。このため、開口側への移動を抜け止め部材に規制するだけで、軸受装着部及び軸受の軸方向の両方向への移動を規制できる。
【０００９】
抜け止め部材は、金属製のバネ線材を折り曲げて形成されてもよい。この場合には、金属製のバネ線材を、軸受と軸受装着部の端面に接触可能に折り曲げるだけで、軸受と軸受
装着部とをまとめて抜け止めできる抜け止め部材を容易に実現できる。
【００１０】
抜け止め部は、収納部の開口側の内周面に形成された環状溝を有してもよい。この場合には、折り曲げられた抜け止め部材を環状溝に部分的に係合させることによって、弾性によって抜け止め部材を環状溝に保持できる。
【００１１】
複数の係合部は、環状溝に係合する角部をそれぞれ有してもよい。抜け止め部材は、複数の角部と、複数の角部を連結し、かつ軸受装着部及び軸受の開口側の端面に接触可能な複数の連結部と、を有してもよい。この場合には、角部で抜け止め部材を環状溝に保持させ、連結部で軸受装着部及び軸受を抜け止めできる。
【００１２】
軸受装着部は、収納部に着脱可能に収納されてもよい。この場合には、収納部に直接装着される軸受と、軸受装着部に装着される小径の軸受との外径が異なる二種類の軸受を交換可能に使用できる。
【００１３】
軸受装着部は、収納部に接着固定されてもよい。この場合には、同じ形状のリール本体で収納部に直接装着される軸受と、軸受装着部に装着される小径の軸受との外径が異なる二種類の軸受のいずれかを装着できる。
【００１４】
軸受装着部は、外周面に環状凹部を有してもよい。この場合には、軸受装着部を収納部に接着固定する場合、環状凹部に接着剤を貯めることができ、接着剤が収納部の開口から外部にはみ出にくくなる。
【発明の効果】
【００１５】
本発明によれば、軸受及び軸受装着部の抜け止め作業を容易に行えるようになる。
【図面の簡単な説明】
【００１６】
【図１】本発明の一実施形態による両軸受リールの斜視図。
【図２】両軸受リールの断面図。
【図３】図２のハンドル側と反対側の断面拡大図。
【図４】スプール軸の支持構造を示す分解斜視図。
【図５】図３の切断線Ｖ−Ｖによって切断した断面図。
【図６】他の実施形態の図５に相当する図。
【図７】ハンドル側に制動ツマミを設けた両軸受リールの軸受支持構造の断面拡大図。
【図８】図７に示す両軸受リールのハンドル側のスプール支持構造の断面拡大図。
【発明を実施するための形態】
【００１７】
＜第１実施形態＞
＜両軸受リールの全体構成＞
図１及び図２において、本発明の一実施形態による両軸受リール１０は、ロープロフィール型のリールである。両軸受リール１０は、側部にハンドル１２を支持するリール本体１４と、軸受装着部１６と、第１軸受１８ａと、スプール軸２０と、スプール２２と、抜け止め部材２４と、を備える。
【００１８】
＜リール本体＞
リール本体１４は、図１及び図２に示すように、フレーム２６と、フレーム２６の両側方に装着されフレーム２６の両側方を覆う第１側カバー２８及び第２側カバー３０と、フレーム２６の第１側カバー２８側に着脱自在に装着された軸受支持部３２と、を有する。第１側カバー２８はハンドル１２と逆側に配置され、第２側カバー３０はハンドル１２の
装着側に配置される。
【００１９】
フレーム２６は、たとえば、アルミニウム合金、マグネシウム合金等の軽金属製の部材である。フレーム２６は、所定の間隔をあけて互いに対向するように配置された第１側板２６ａ及び第２側板２６ｂと、第１側板２６ａ及び第２側板２６ｂを連結する複数の連結部２６ｃと、を有する。ハンドル１２の装着側と逆側の第１側板２６ａには、スプール２２が通過可能な円形の開口２６ｄが形成される。軸受支持部３２は、開口２６ｄに着脱可能に装着される。
【００２０】
第１側カバー２８は、アルミニウム合金、マグネシウム合金等の軽金属製の部材であり、第１側板２６ａの外方を覆う。第１側カバー２８は、円形の凹部２８ａを中心部に有する。凹部２８ａは複数段階に凹んで形成される。凹部２８ａの中心部には、円形のつまみ開口２８ｂが形成される。つまみ開口２８ｄでは、軸受支持部３２が露出する。第１側カバー２８は、軸受支持部３２により挟持され、軸受支持部３２とともにフレーム２６に対して着脱可能である。
【００２１】
第２側カバー３０は、アルミニウム合金、マグネシウム合金等の軽金属製の部材であり、フレーム２６の第２側板２６ｂにねじ止め固定される。第２側カバー３０は、スプール軸２０の配置部分に設けられたボス部３０ａと、ボス部３０ａの開口を塞ぐ蓋部材３４と、が設けられる。ボス部３０ａは、第２側カバー３０に、例えばかしめ固定される。蓋部材３４は、第２側カバー３０にビス止めされる。
【００２２】
軸受支持部３２は、第１側カバー２８を挟持した状態で第１側カバー２８に回動自在に装着される。したがって、軸受支持部３２は、第１側カバー２８に対して抜け止めされる。また、軸受支持部３２は、公知のバヨネット構造によって第１側板２６ａに着脱自在に装着される。
【００２３】
軸受支持部３２は、図３に示すように、軸受装着部１６を介して第１軸受１８ａが装着される収納部３２ａと、抜け止め部３２ｂと、収納部３２ａとで第１側カバー２８を相対回動自在に挟持する着脱操作部３２ｃと、を有する。収納部３２ａは、中心部に軸方向の一端に開口３２ｅを有する円形の筒状部３２ｄを有する皿状の部材であり、外周部が開口２６ｄに嵌合する。筒状部３２ｄは、スプール２２に向けて筒状に突出して形成される。筒状部３２ｄには、軸受装着部１６が内周面に装着される段付き筒状の装着空間３２ｆが形成される。装着空間３２ｆの底部３２ｇには、キャスティングコントロール機構５０を構成する円板状の第１プレート５０ａが装着される。また底部３２ｇには、キャスティングコントロール機構５０の制動つまみ５０ｂが螺合するねじ孔３２ｈが形成される。キャスティングコントロール機構５０は、蓋部材３４に装着された第２プレート５０ｃと第１プレート５０ａとでスプール軸２０の両端を挟むことでスプール軸２０を制動する。この制動力は、制動ツマミ５０ｂで調整される。抜け止め部３２ｂは、筒状部３２ｄの開口３２ｅ側に、周方向に沿って凹んで形成された環状溝３２ｉを有する。着脱操作部３２ｃは、段付き円筒形状の部材であり、図示しないねじ部材により収納部３２ａに固定される。
【００２４】
＜軸受装着部及び第１軸受＞
軸受装着部１６は、図３及び図４に示すように、収納部３２ａに装着可能な円筒状の部材である。軸受装着部１６は、収納部３２ａの筒状部３２ｄの装着空間３２ｆに、例えばすきま嵌めで係合する。軸受装着部１６は、収納部３２ａの筒状部３２ｄの装着空間３２ｆに開口３２ｅと反対側への軸方向の移動が規制されて装着され、かつ、第１軸受１８ａを開口３２ｅと反対側への軸方向の移動を規制して装着する。軸受装着部１６は、収納部３２ａに着脱可能に収納される。しかし、着脱が不要の場合には、軸受装着部１６は、収納部３２ａに接着固定されてもよい。軸受装着部１６は、外周面に環状凹部１６ａを有す
る。環状凹部１６ａは、軸受装着部１６を接着固定する場合に、接着剤を貯めて接着剤が外部にはみ出さないようにするために設けられる。軸受装着部１６は、内周面に、第１軸受１８ａを装着するための装着面１６ｂと、第１軸受１８ａの開口３２ｅと反対側の移動を規制するための装着面１６ｂよりも小径の規制面１６ｃと、を有する。規制面１６ｃの内周側に第１プレート５０ａが配置される。第１軸受１８ａは、例えば、外輪１８ｃを有する転がり軸受であり、本実施形態では玉軸受である。
【００２５】
＜スプール軸＞
スプール軸２０は、第２側板２６ｂを貫通して第２側カバー３０に延びる。スプール軸２０は、リール本体１４に回転自在に支持される。スプール２２の両側で、スプール軸１８は、第１軸受１８ａ及び第２軸受１８ｂを介して、リール本体１に回転自在に支持される。第２軸受１８ｂは、第２側板２６ｂに装着される。
【００２６】
＜スプール＞
スプール２２は、図２に示すように、釣り糸が巻き付けられる糸巻き胴部２２ａと、糸巻き胴部の両側に一体形成された一対のフランジ部２２ｂとを有する。スプール２２は、糸巻き胴部２２ａを貫通するスプール軸２０に、例えばセレーション結合によって、一体回転可能に連結される。この固定方法はセレーション結合に限定されず、キー結合やスプライン結合等の種々の結合方法を用いることができる。
【００２７】
＜抜け止め部材＞
抜け止め部材２４は、図５に示すように抜け止め部３２ｂに係合する複数の係合部２４ａを有する。抜け止め部材２４は、第１軸受１８ａと軸受装着部１６とを、収納部３２ａの筒状部３２ｄに対してまとめて抜け止めする。係合部２４ａは、環状溝３２ｉに係合する複数の角部２４ｂを有する。抜け止め部材２４は、複数の角部２４ｂと、複数の角部２４ｂを連結する複数の連結部２４ｃと、を有する。複数の連結部２４ｃは、軸受装着部１６及び第１軸受１８ａ（より詳しくは、第１軸受１８ａの外輪１８ｃ）の開口３２ｅ側の端面に接触可能である。この実施形態では、抜け止め部材２４は、４つの角部２４ｂと、３つの連結部２４ｃと、を有する。
【００２８】
このような構成の両軸受リール１０では、収納部３２ａに直接装着された、図３に二点鎖線で示す第１軸受１８ａ‘よりも小径の第１軸受１８ａを用いる場合、軸受支持部３２を第１側カバー２８とともにフレーム２６から取り外す。また、スプール２２を取り出す。この状態で、収納部３２ａに収納された大径の第１軸受１８ａ‘を外し、軸受装着部１６を収納部３２ａに装着する。続いて、小径の第１軸受１８ａを軸受装着部１６の装着面１６ｂに装着する。なお、予め装着面１６ｂに第１軸受１８ａを装着してから、軸受装着部１６を収納部３２ａに装着してもよい。第１軸受１８ａ及び軸受装着部１６の装着が終わると、抜け止め部材２４を環状溝３２ｉに装着する。これによって、装着部１６と第１軸受１８ａとがまとめて抜け止めされる。このため、軸受装着部１６を収納部３２ａに装着しても、第１軸受１８ａ及び軸受装着部１６の抜け止め作業を容易に行えるようになる。これらの作業が終わると、小径のスプール軸が固定された新たなスプールを装着する。最後に小径の第１軸受１８ａが装着された軸受支持部３２を、第１側カバー２８とともに、第１側板２６ａに取り付ける。
＜特徴＞
上記実施形態は、下記のように表現可能である。
【００２９】
（Ａ）両軸受リール１０は、釣り糸を前方に繰り出し可能なリールである。両軸受リール１０は、リール本体１４と、円筒状の軸受装着部１６と、第１軸受１８ａと、スプール軸２０と、スプール２２と、抜け止め部材２４と、を備える。リール本体１４は、軸方向の一端に開口３２ｅを有する円形の収納部３２ａと、収納部３２ａの開口３２ｅ側に周方
向に沿って形成された抜け止め部３２ｂと、を含む軸受支持部３２を有する。軸受装着部１６は、収納部３２ａに装着可能である。第１軸受１８ａは、軸受装着部１６に装着される。スプール軸２０は、第１軸受１８ａを介して、リール本体１４に回転自在に支持される。スプール２２は、スプール軸２０と一体回転可能に連結される。抜け止め部材２４は、抜け止め部３２ｂに係合する複数の係合部２４ａを有し、第１軸受１８ａと軸受装着部１６とを、収納部３２ａに対してまとめて抜け止めする。
【００３０】
この両軸受リール１０では、軸受支持部３２の収納部３２ａに軸受装着部１６を装着し、軸受装着部１６に第１軸受１８ａを装着する。この状態で抜け止め部材２４の係合部２４ａを軸受支持部３２の抜け止め部３２ｂに係合させると、第１軸受１８ａ及び軸受装着部１６がまとめて収納部３２ａに対して抜け止めされる。ここでは、抜け止め部材２４が第１軸受１８ａ及び軸受装着部１６をまとめて抜け止めできるので、第１軸受１８ａ及び軸受装着部１６の抜け止め作業を容易に行えるようになる。
【００３１】
（Ｂ）軸受装着部１６は、収納部３２ａに開口３２ｅと反対側への軸方向の移動が規制されて装着され、かつ、第１軸受１８ａを開口３２ｅと反対側への軸方向の移動を規制して装着してもよい。この場合には、軸受装着部１６及び第１軸受１８ａがいずれも開口３２ｅと反対側への軸方向の移動が規制される。このため、開口３２ｅ側への移動を抜け止め部材２４に規制するだけで、軸受装着部１６及び第１軸受１８ａの軸方向の両方向への移動を規制できる。
【００３２】
（Ｃ）抜け止め部材２４は、金属製のバネ線材を折り曲げて形成されてもよい。この場合には、金属製のバネ線材を、第１軸受１８ａと軸受装着部１６の端面に接触可能に折り曲げるだけで、第１軸受１８ａと軸受装着部１６とをまとめて抜け止めできる抜け止め部材２４を容易に実現できる。
【００３３】
（Ｄ）抜け止め部３２ｂは、収納部３２ａの開口３２ｅ側の内周面に形成された環状溝３２ｉを有してもよい。この場合には、折り曲げられた抜け止め部材２４を環状溝３２ｉに部分的に係合させることによって、弾性によって抜け止め部材２４を環状溝３２ｉに保持できる。
【００３４】
（Ｅ）複数の係合部２４ａは、環状溝３２ｉに係合する角部２４ｂをそれぞれ有してもよい。抜け止め部材２４は、複数の角部２４ｂと、複数の角部２４ｂを連結し、かつ軸受装着部１６及び第１軸受１８ａの開口３２ｅ側の端面に接触可能な複数の連結部２４ｃと、を有してもよい。この場合には、角部２４ｂで抜け止め部材２４を環状溝３２ｉに保持させ、連結部２４ｃで軸受装着部１６及び第１軸受１８ａを抜け止めできる。
【００３５】
（Ｆ）軸受装着部１６は、収納部３２ａに着脱可能に収納されてもよい。この場合には、収納部３２ａに直接装着される第１軸受と、軸受装着部１６に装着される小径の第１軸受１８ａとの外径が異なる二種類の軸受を交換可能に使用できる。
【００３６】
（Ｇ）軸受装着部１６は、収納部３２ａに接着固定されてもよい。この場合には、同じ形状のリール本体で収納部３２ａに直接装着される第１軸受と、軸受装着部１６に装着される小径の第１軸受１８ａとの、外径が異なる二種類の軸受のいずれかを装着できる。
【００３７】
（Ｈ）軸受装着部１６は、外周面に環状凹部１６ａを有してもよい。この場合には、軸受装着部１６を収納部３２ａに接着固定する場合、環状凹部１６ａに接着剤を貯めることができ、接着剤が収納部３２ａの開口３２ｅから外部にはみ出にくくなる。
【００３８】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。なお、以降の図面を用いた説明では、上記実施形態と同じ構成については、図面に同じ符号を付けてその説明を省略する。また、第１実施形態と構成が異なるが対応する部材については、下二桁の符号が同じ三桁の符号を付ける。
【００３９】
（ａ）上記記実施形態では、手動の両軸受リールを例に説明したが、電動の両軸受リールにも本発明を適用できる。また、ハンドルが糸繰り出し方向に回転する両軸受リールにも本発明を適用できる。さらに、右ハンドルの両軸受リールを例に説明したが、左ハンドルの両軸受リールにも本発明を適用できる。
【００４０】
（ｂ）抜け止め部材２４の形状は、上記実施形態に形状（角部２４ｂと連結部２４ｃとを有する形状）に限定されない。抜け止め部材は、係合部が抜け止め部に係合可能であり、かつ連結部が第１軸受１８ａと軸受装着部１６の端面とを規制可能な形状であればどのような形状でもよい。例えば、Ｃ型止め輪等の孔用止め輪を用いてもよい。
【００４１】
図６では、抜け止め部材１２４は、金属製のバネ線材を花びら形状に折り曲げて形成される。抜け止め部材１２４は、係合部１２４ａである５個の円弧部１２４ｂと、円弧部１２４ｂから折り曲げられて円弧部１２４ｂを円弧で連結する４つの連結部１２４ｃとを有する。連結部１２４ｃは、第１軸受１８ａの外輪１８ｃと軸受装着部１６の端面とを規制可能に中心側に湾曲した形状である。このような形状でも、軸受装着部１６と第１軸受１８ａと、をまとめて抜け止めできる。
【００４２】
（ｃ）上記実施形態では、キャスティングコントロール機構５０の制動ツマミ５０ｂがハンドル１２と反対側に設けられる場合の、軸受の装着形態を例に本発明を説明したが、本発明はこれに限定されない。図７では、制動ツマミ２５０ｂは、ハンドル１２側に設けられる。軸受支持部２３２は、第２側カバー２３０から軸方向に筒状に突出する収納部２３２ａを有する。収納部２３２ａの外周面に制動ツマミ２５０ｂが螺合する。収納部２３２ａに軸受装着部２１６が装着される。軸受装着部２１６は、外周面に環状凹部２１６ａを有し、外周面に装着面２１６ｂと規制面２１６ｃとを有する。第２軸受２１８ｂは、スプール軸２２０のハンドル１２側の端部を回転自在に支持する。抜け止め部材２４は上記実施形態と同じ構成である。
【００４３】
また図８では、スプール軸２２０のハンドル１２と反対側の端部を支持する例を示す。図８では、軸受支持部３３２は、前記実施形態と同様に第１側板２６ａに着脱可能に設けられる。軸受支持部３３２は、軸方向に筒状に突出する収納部３３２ａを有する。収納部３３２ａに軸受装着部３１６が装着される。軸受装着部３１６は、外周面に環状凹部３１６ａを有し、外周面に装着面３１６ｂと規制面３１６ｃとを有する。第１軸受３１８ｂは、スプール軸２２０のハンドル１２と反対側の端部を回転自在に支持する。抜け止め部材２４は上記実施形態と同じ構成である。
【００４４】
また、図８では抜け止め部３３２ｂが環状溝ではなく、周方向に間隔を隔てて開口３３２ｅの手前側まで形成された複数の半円形の凹部３３２ｉで構成される。複数の凹部３３２ｉは、軸受支持部３３２の外側面から形成された円形の複数の孔３３２ｊの一部を用いて構成される。この孔３３２ｊは、形成後にシールされる。
【００４５】
（ｄ） 上記実施形態では抜け止め部材で軸受と軸受装着部を同時に抜け止めしたが、
軸受装着部を有底筒状に形成し、軸受を軸受装着部自体で抜け止めし、軸受装着部を収納部に対して抜け止めしてもよい。この場合、軸受を取り出すためには軸受装着部を取り外
す必要があるので、収納部に軸受装着部を接着しないことが望ましい。
【符号の説明】
【００４６】
１４    リール本体
１６    軸受装着部
１６ａ，２１６ａ，３１６ａ  環状凹部
１８ａ，３１８ａ  第１軸受
２０、２２０    スプール軸
２２    スプール
２４、１２４    抜け止め部材
２４ａ，１２４ａ  係合部
２４ｂ  角部
２４ｃ、１２４ｃ  連結部
３２，２３２，３３２    軸受支持部
３２ａ，２３２ａ，３３２ａ  収納部
３２ｅ，３３２ｅ  開口
３２ｂ、３３２ｂ  抜け止め部
３２ｉ  環状溝
２１８ｂ  第２軸受
【図１】
0006615462.tif 000002
【図２】
0006615462.tif 000003
【図３】
0006615462.tif 000004
【図４】
0006615462.tif 000005
【図５】
0006615462.tif 000006
【図６】
0006615462.tif 000007
【図７】
0006615462.tif 000008
【図８】
0006615462.tif 000009